(57)【特許請求の範囲】
【請求項１】
入力映像信号をｎ個（ｎは２以上の整数）の周波数帯域に分割する帯域分割フィルタバンクと、この帯域分割フィルタバンクで分割されたｎ個の映像信号のそれぞれに係数（１＋β）（βは０以上１以下の可変値）を掛けて出力する係数可変可能な係数器と、前記帯域分割フィルタバンクで分割されたｎ個の映像信号の絶対値を比較して大きさ順に１番目からｍ番目（ｍはｎ以下の整数）までの値を検出し、前記ｎ個の係数器のうちの１番目の大きな値に対応した係数器の係数（１＋β）のβを１に制御し、２番目からｍ番目までの大きな値に対応した係数器の係数（１＋β）のβを０以上１未満の値に制御し、残りの係数器の係数（１＋β）のβを０に制御するゲイン調整器と、前記ｎ個の係数器の出力を加算して出力映像信号とする加算器とを具備してなることを特徴とする映像信号処理回路。
【請求項２】
入力映像信号をｎ個（ｎは２以上の整数）の周波数帯域に分割する帯域分割フィルタバンクと、この帯域分割フィルタバンクで分割されたｎ個の映像信号のそれぞれに係数（１＋β）（βは０以上１以下の可変値）を掛けて出力する係数可変可能な係数器と、前記帯域分割フィルタバンクで分割されたｎ個の映像信号の絶対値をｐフレーム期間（ｐは１以上の整数）にわたって積算する積算値算出器と、この積算値算出器で算出されたｎ個の積算値を比較して大きい順に１番目からｍ番目（ｍはｎ以下の整数）までの値を検出し、前記ｎ個の係数器のうちの１番目の大きな値に対応した係数器の係数（１＋β）のβを１に制御し、２番目からｍ番目までの大きな値に対応した係数器の係数（１＋β）のβを０以上１未満の値に制御し、残りの係数器の係数（１＋β）のβを０に制御するゲイン調整器と、前記ｎ個の係数器の出力を加算して出力映像信号とする加算器とを具備してなることを特徴とする映像信号処理回路。
【発明の詳細な説明】
【０００１】
【発明の属する技術分野】
本発明は、フィルタを用いて入力映像信号（例えばディジタルの入力映像信号）から輪郭補正信号を抽出し、輪郭補正された映像信号を出力する映像信号処理回路に関するものである。
【０００２】
【従来の技術】
従来、この種の映像信号処理回路は、図１１に示すように、入力端子１０に入力した映像信号（例えばディジタルの映像信号）Ｖを所定時間遅延して出力する遅延器１２と、入力端子１０に入力した映像信号Ｖから輪郭補正信号を抽出するフィルタ１４と、このフィルタ１４で抽出された輪郭補正信号の補正量を制御して出力する補正量制御器１６と、この補正量制御器１６から出力した輪郭補正信号を遅延器１２から出力した映像信号に加算し、輪郭補正された映像信号を出力端子１８へ出力する加算器２０とで構成されていた。
フィルタ１４の振幅特性Ｈ４は図１２に示すように形成されていた。この図１２において、横軸は入力映像信号Ｖの周波数帯域の最大周波数を０．５に正規化した周波数を表し、縦軸は最大振幅を１に正規化した振幅を表す。
【０００３】
【発明が解決しようとする課題】
しかしながら、図１１に示した従来例では、単一のフィルタ１４によって輪郭補正信号を抽出していたので、入力映像信号Ｖの周波数帯域によっては全く輪郭補正効果のない出力映像信号となることがあり、ボケ感のある映像を表示してしまうことがあるという問題点があった。
すなわち、入力端子１０に入力した映像信号Ｖの周波数帯域が、フィルタ１４によって設定された振幅特性Ｈ４（図１２に示す）の周波数帯域（例えば比較的高い周波数帯域）に含まれないときには、全く輪郭補正信号が抽出されず、ボケ感のある映像を表示してしまうことがあるという問題点があった。
【０００４】
本発明は上述の問題点に鑑みてなされたもので、入力映像信号の周波数帯域が変化しても、常に適切な輪郭強調のできる出力映像信号を得ることのできる映像信号処理回路を提供することを目的とするものである。
【００１１】
【課題を解決するための手段】
請求項１の発明による映像信号処理回路は、入力映像信号をｎ個（ｎは２以上の整数）の周波数帯域に分割する帯域分割フィルタバンクと、この帯域分割フィルタバンクで分割されたｎ個の映像信号のそれぞれに係数（１＋β）（βは０以上１以下の可変値）を掛けて出力する係数可変可能な係数器と、帯域分割フィルタバンクで分割されたｎ個の映像信号の絶対値を比較して大きさ順に１番目からｍ番目（ｍはｎ以下の整数）までの値を検出し、ｎ個の係数器のうちの１番目の大きな値に対応した係数器の係数（１＋β）のβを１に制御し、２番目からｍ番目までの大きな値に対応した係数器の係数（１＋β）のβを０以上１未満の値に制御し、残りの係数器の係数（１＋β）のβを０に制御するゲイン調整器と、ｎ個の係数器の出力を加算して出力映像信号とする加算器とを具備してなることを特徴とする。このとき、ｍ＝ｎのときは、前述の「残りの係数器」の数が０となる。
【００１６】
請求項２の発明による映像信号処理回路は、入力映像信号をｎ個（ｎは２以上の整数）の周波数帯域に分割する帯域分割フィルタバンクと、この帯域分割フィルタバンクで分割されたｎ個の映像信号のそれぞれに係数（１＋β）（βは０以上１以下の可変値）を掛けて出力する係数可変可能な係数器と、帯域分割フィルタバンクで分割されたｎ個の映像信号の絶対値をｐフレーム期間（ｐは１以上の整数）にわたって積算する積算値算出器と、この積算値算出器で算出されたｎ個の積算値を比較して大きい順に１番目からｍ番目（ｍはｎ以下の整数）までの値を検出し、ｎ個の係数器のうちの１番目の大きな値に対応した係数器の係数（１＋β）のβを１に制御し、２番目からｍ番目までの大きな値に対応した係数器の係数（１＋β）のβを０以上１未満の値に制御し、残りの係数器の係数（１＋β）のβを０に制御するゲイン調整器と、ｎ個の係数器の出力を加算して出力映像信号とする加算器とを具備してなることを特徴とする。このとき、ｍ＝ｎのときは、前述の「残りの係数器」の数が０となる。
このような構成において、積算値算出器によって、帯域分割フィルタバンクで抽出された複数の映像信号の絶対値がｐフレーム期間にわたって積算され、ゲイン調整器によって、複数の積算値を比較して大きい順に１番目からｍ番目までが検出され、ｎ個の係数器のうちの１番目の大きな値に対応した係数器の係数が２に制御され、２番目からｍ番目までの大きな値に対応した係数器の係数が１以上２未満の値に制御され、残りの係数器の係数が１に制御されるので、入力映像信号の周波数帯域が変化しても、常に入力映像信号により多く含まれる周波数帯域の映像信号が輪郭補正信号となる。
【００２１】
【発明の実施の形態】
以下、本発明の実施の形態例を図面により説明する。
図１は本発明による映像信号処理回路の第１実施形態例を示すもので、図１１と同一部分は同一符号とする。
図１において、１０は入力端子、１６は補正量制御器、１８は出力端子、２０は加算器、２２、２４は遅延器、２６は帯域分割フィルタバンク、２８は最大値検出部である。
【００２２】
前記帯域分割フィルタバンク２６はフィルタ２６１、２６２、２６３、２６４で構成され、これらのフィルタ２６１、２６２、２６３、２６４は、図２に示すような振幅特性Ｈ１、Ｈ２、Ｈ３、Ｈ４を有し、入力端子１０に入力した映像信号（例えばディジタルの映像信号）Ｖを正規化周波数の０．１〜０．２、０．２〜０．３、０．３〜０．４、０．４〜０．５に相当する４つの周波数帯域ＦＢ１、ＦＢ２、ＦＢ３、ＦＢ４の映像信号Ｖ１、Ｖ２、Ｖ３、Ｖ４に分割する。
周波数帯域ＦＢ１、ＦＢ２、ＦＢ３、ＦＢ４は、入力映像信号Ｖの周波数帯域のうち、低周波数帯域ＦＢ０を除いた帯域を４分割した周波数帯域を表す。
【００２３】
前記最大値検出部２８は、前記フィルタ２６１、２６２、２６３、２６４で分割された映像信号Ｖ１、Ｖ２、Ｖ３、Ｖ４を所定時間遅延して出力する遅延器３０１、３０２、３０３、３０４と、この遅延器３０１、３０２、３０３、３０４の出力に係数を掛けて出力する係数可変可能な係数器３２１、３２２、３２３、３２４と、この係数器３２１、３２２、３２３、３２４の出力信号を加算して補正量制御器１６へ出力する第２加算器３４と、ゲイン調整器３６とで構成されている。
【００２４】
前記ゲイン調整器３６は、前記フィルタ２６１、２６２、２６３、２６４で分割された映像信号Ｖ１、Ｖ２、Ｖ３、Ｖ４の絶対値を演算して比較し、そのうちの最大値を検出して前記係数器３２１、３２２、３２３、３２４のうちの対応した係数器（例えば３２４）の係数を１に制御し、残りの係数器（例えば３２１、３２２及び３２３）の係数を０に制御する。
前記ゲイン調整器３６は、前記フィルタ２６１、２６２、２６３、２６４で分割された映像信号Ｖ１、Ｖ２、Ｖ３、Ｖ４の絶対値を演算して比較し、最大値を検出して前記係数器３２１、３２２、３２３、３２４のうちの対応した係数器（例えば３２４）をイネーブルとし、残りの係数器（例えば３２１、３２２及び３２３）をディセーブルとするように構成してもよい。
【００２５】
前記第２加算器３４は、前記係数器３２１、３２２、３２３、３２４の出力信号を加算し、前記補正量制御器１６は前記加算器３４の出力信号に予め設定された補正量制御用の係数（例えば０以上１未満の設定数）を掛ける。
前記加算器２０は、前記補正量制御器１６の出力信号を、前記遅延器２２、２４を介して前記入力端子１０から入力した映像信号Ｖに加算して出力端子１８へ出力する。
前記遅延器２２、２４及び遅延器３０１、３０２、３０３、３０４の遅延時間は、前記遅延器２２、２４を介して前記加算器２０に入力する映像信号Ｖと、前記補正量制御器１６を介して前記加算器２０に入力する信号とのタイミングが画素毎に一致するように設定されている。
【００２６】
つぎに図１の作用を図２を併用して説明する。
（１）帯域分割フィルタバンク２６のフィルタ２６１、２６２、２６３、２６４は、入力端子１０に入力した映像信号Ｖから、周波数帯域ＦＢ１（比較的高域であるが相対的に最も低い周波数帯域）、ＦＢ２、ＦＢ３、ＦＢ４（高域で相対的に最も高い周波数帯域ＦＢ４）の映像信号Ｖ１、Ｖ２、Ｖ３、Ｖ４を抽出する。
【００２７】
（２）最大値検出部２８のゲイン調整器３６は、帯域フィルタ２６１、２６２、２６３、２６４で抽出された映像信号Ｖ１、Ｖ２、Ｖ３、Ｖ４の絶対値を演算して比較し、そのうちの最大値（例えばＶ４の絶対値）を検出して対応した係数器（例えば３２４）の係数を１に制御し（又は係数器（例えば３２４）をイネーブルとし）、残りの係数器（例えば３２１、３２２及び３２３）の係数を０に制御する（又は係数器（例えば３２１、３２２及び３２３）をディセーブルとする）。
【００２８】
（３）このため、フィルタ２６１、２６２、２６３、２６４で抽出された映像信号Ｖ１、Ｖ２、Ｖ３、Ｖ４のうち、絶対値最大に対応した映像信号（例えばＶ４）のみが、輪郭補正信号として遅延器（例えば３０４）、係数器（例えば３２４）及び第２加算器３４を介して補正量制御器１６に入力する。
この補正量制御器１６で設定係数が掛けられて補正量の制御された信号は、遅延器２２、２４でタイミング調整された入力映像信号と加算器２０で加算され、輪郭補正された映像信号として出力端子１８から表示部（例えばプラズマディスプレイ表示部、図示省略）側へ出力する。
【００２９】
（４）したがって、入力映像信号の１ドット（例えば１画素）毎に係数器３２１、３２２、３２３、３２４のうちの１つの係数器の係数が１となり（又はイネーブルとなり）、残りの係数器の係数が０となり、４つの周波数帯域ＦＢ１〜ＦＢ４のうちで入力映像信号Ｖに最も多く含まれる周波数帯域（例えばＦＢ４）の映像信号（例えばＶ４）のみが、輪郭補正信号として補正量制御器１６を介して加算器２０に入力し、入力映像信号に加算される。このため、入力映像信号の周波数帯域が変化しても、常に入力映像信号に最も多く含まれる周波数帯域の映像信号が輪郭補正信号となり、常に適切な輪郭強調のできる映像信号が得られる。
【００３０】
図１に示した実施形態例では、ゲイン調整器３６が帯域分割フィルタバンク２６の４個のフィルタ２６１、２６２、２６３、２６４で抽出された映像信号Ｖ１、Ｖ２、Ｖ３、Ｖ４の重みを等しくして比較し最大値を検出するようにしたが、本発明はこれに限るものでなく、相対的に低い周波数帯域の映像信号を抽出するフィルタ（例えば２６１）の重みを軽く（小さく）した場合についても利用できる。
例えば、図１に点線で示すような０以上１未満の係数を掛ける係数器４０を設け、この係数器４０によって、相対的に最も低い周波数帯域ＦＢ１の映像信号Ｖ１の重みを、より高い周波数帯域ＦＢ２〜ＦＢ４の映像信号Ｖ２〜Ｖ４の重みより軽くした場合についても利用することができる。この場合、通常の入力映像信号中に比較的多く含まれている低い周波数帯域ＦＢ１の映像信号Ｖ１が最大値として処理される割合を相対的に小さくでき、係数器４０の係数を０又は０近傍の値とした場合には映像信号Ｖ１が最大値として処理されないようにすることがでる。このため、視覚的強調効果が得られ易い高い周波数帯域の映像信号についての輪郭強調度を相対的に高くすることができる。
【００３１】
図１に示した実施形態例では、タイミング調整用として入力端子１０と加算器２０の間に２つの遅延器２２、２４を挿入した場合について説明したが、本発明はこれに限るものでなく、入力端子１０と加算器２０の間に１つの遅延器を挿入して同一のタイミング調整機能を達成するようにした場合についても利用することができる。
【００３２】
図３は本発明による映像信号処理回路の第２実施形態例を示すもので、図１と同一部分は同一符号とする。
図３において、１０は入力端子、１８は出力端子、２０ａは加算器、２６ａは帯域分割フィルタバンク、３６ａはゲイン調整器、３８０、３８１、３８２、３８３、３８４は係数可変可能な係数器である。
【００３３】
前記帯域分割フィルタバンク２６ａはフィルタ２６０、２６１、２６２、２６３、２６４で構成され、これらのフィルタ２６０、２６１、２６２、２６３、２６４は、図４に示すような振幅特性Ｈ０、Ｈ１、Ｈ２、Ｈ３、Ｈ４を有し、入力端子１０に入力した映像信号Ｖを正規化周波数の０〜０．１、０．１〜０．２、０．２〜０．３、０．３〜０．４、０．４〜０．５に相当する５つの周波数帯域ＦＢ０、ＦＢ１、ＦＢ２、ＦＢ３、ＦＢ４の映像信号Ｖ０、Ｖ１、Ｖ２、Ｖ３、Ｖ４に分割する。
【００３４】
前記係数器３８０、３８１、３８２、３８３、３８４は、前記フィルタ２６０、２６１、２６２、２６３、２６４を通過した映像信号Ｖ０、Ｖ１、Ｖ２、Ｖ３、Ｖ４のそれぞれに係数（１＋α）（αは０、１の可変値）を掛けて出力する。
【００３５】
前記ゲイン調整器３６ａは、前記フィルタ２６０、２６１、２６２、２６３、２６４を通過した映像信号Ｖ０、Ｖ１、Ｖ２、Ｖ３、Ｖ４の絶対値を演算して比較し、そのうちの最大値を検出して前記係数器３８０、３８１、３８２、３８３、３８４のうちの対応した係数器（例えば３８３）の係数（１＋α）のαを１に制御し、残りの係数器（例えば３８０、３８１、３８２及び３８４）の係数（１＋α）のαを０に制御する。
【００３６】
前記加算器２０ａは、前記係数器３８０、３８１、３８２、３８３、３８４の出力信号を加算し、入力映像信号Ｖに輪郭補正信号（例えばＶ３）が加算された映像信号を出力端子１８へ出力する。
【００３７】
つぎに図３の作用を図４を併用して説明する。
（１）帯域分割フィルタバンク２６ａのフィルタ２６０、２６１、２６２、２６３、２６４は、入力端子１０に入力した映像信号Ｖから、周波数帯域ＦＢ０（低周波数帯域）、ＦＢ１（比較的高域であるが相対的に最も低い周波数帯域）、ＦＢ２、ＦＢ３、ＦＢ４（高域で相対的に最も高い周波数帯域）の映像信号Ｖ０、Ｖ１、Ｖ２、Ｖ３、Ｖ４を抽出する。
【００３８】
（２）ゲイン調整器３６ａは、フィルタ２６０、２６１、２６２、２６３、２６４で抽出された映像信号Ｖ０、Ｖ１、Ｖ２、Ｖ３、Ｖ４の絶対値を演算して比較し、そのうちの最大値（例えばＶ３の絶対値）を検出して対応した係数器（例えば３８３）の係数（１＋α）のαを１に制御し、残りの係数器（例えば３８０、３８１、３８２、及び３８４）の係数（１＋α）のαを０に制御する。
【００３９】
（３）このため、フィルタ２６０、２６１、２６２、２６３、２６４を通過した映像信号Ｖ０、Ｖ１、Ｖ２、Ｖ３、Ｖ４のうち、絶対値最大に対応した映像信号（例えばＶ３）のみが係数器（例えば３８３）で２倍され、残りの映像信号（例えばＶ０、Ｖ１、Ｖ２及びＶ４）が係数器（例えば３８０、３８１、３８２及び３８４）で１倍され、加算器２０ａで加算され、輪郭補正された映像信号として出力端子１８から表示部側に出力する。
【００４０】
（４）したがって、入力映像信号Ｖの１ドット（例えば１画素）毎に、係数器３８０、３８１、３８２、３８３、３８４のうちの１つの係数器の係数が２となり、残りの係数器の係数が１となり、５つの周波数帯域ＦＢ０〜ＦＢ４のうちで入力映像信号Ｖに最も多く含まれる周波数帯域（例えばＦＢ３）の映像信号（例えばＶ３）のみが輪郭補正信号として入力映像信号Ｖに加算される。
例えば、ゲイン調整器３６ａで絶対値最大と検出された映像信号がＶ３であるとすると、係数器３８０、３８１、３８２、３８３、３８４の出力信号がＶ０、Ｖ１、Ｖ２、２Ｖ３、Ｖ４となるので、加算器２０ａで加算された出力端子１８へ出力する映像信号は、入力映像信号Ｖ（Ｖ０＋Ｖ１＋Ｖ２＋Ｖ３＋Ｖ４＝Ｖ）と輪郭補正信号Ｖ３を加算した信号となる。
【００４１】
図３に示した実施形態例では、係数器３８０、３８１、３８２、３８３、３８４の係数（１＋α）のαを０、１の可変値とし、ゲイン調整器３６ａがフィルタ２６０、２６１、２６２、２６３、２６４を通過した映像信号Ｖ０、Ｖ１、Ｖ２、Ｖ３、Ｖ４の絶対値を演算して比較し、そのうちの最大値を検出して対応した係数器（例えば３８３）の係数を２（α＝１の場合）に制御し、残りの係数器（例えば３８０、３８１、３８２及び３８４）の係数を１（α＝０の場合）に制御した場合について説明したが、本発明はこれに限るものでなく、次のような場合にも利用することができる。
すなわち、係数器３８０、３８１、３８２、３８３、３８４の係数を（１＋β）とし、この（１＋β）のβを０、０以上１未満、１の可変値とし、ゲイン調整器３６ａがフィルタ２６０、２６１、２６２、２６３、２６４を通過した映像信号Ｖ０、Ｖ１、Ｖ２、Ｖ３、Ｖ４の絶対値を演算して比較し、大きい順にｍ番目まで（ｍは分割数５（ｎ＝５の場合）以下の整数で、例えばｍ＝３のときは１番目から３番目まで）の値を検出し、第１番目の大きな値に対応した係数器（例えば３８３）の係数を２（βが１の場合）に制御し、２番目からｍ番目までの大きな値に対応した係数器（例えば３８４、３８２）の係数を１以上２未満の設定値（βが０以上１未満の場合）に制御し、残りの係数器（例えば３８０）の係数を１（βが０の場合）に制御した場合についても利用することができる。このとき、ｍを分割数５と等しくした場合（ｎ＝ｍの場合）には、前述の「残りの係数器」がない場合に相当する。
【００４２】
例えば、映像信号Ｖ０、Ｖ１、Ｖ２、Ｖ３、Ｖ４の絶対値の大きい順がＶ３、Ｖ４、Ｖ２、Ｖ０、Ｖ１の順であり第１番目から第３番目までを輪郭補正の対象とする場合には、加算器２０ａで加算され出力端子１８へ出力する映像信号は、入力映像信号Ｖ（Ｖ０＋Ｖ１＋Ｖ２＋Ｖ３＋Ｖ４＝Ｖ）と輪郭補正信号を加算した信号となり、この輪郭補正信号は、第１番目に大きい映像信号Ｖ３に１を掛けた信号と、第２、第３番目に大きい映像信号Ｖ４、Ｖ２に０以上１未満の値βを掛けた信号との和の信号となる。
【００４３】
図３に示した実施形態例又は前述の段落「００４１」、「００４２」で記述した例では、ゲイン調整器３６ａがフィルタ２６０、２６１、２６２、２６３、２６４を通過した映像信号Ｖ０、Ｖ１、Ｖ２、Ｖ３、Ｖ４の重みを等しくして比較するようにしたが、本発明はこれに限るものでなく、相対的に低い周波数帯域のフィルタ（例えば２６０、２６１）を通過した映像信号（例えばＶ０、Ｖ１）の重みを軽くして比較する場合についても利用することができる。
例えば、図３に点線で示すような１未満の正の係数を掛ける係数器４０ａ、４０ｂを設け、これらの係数器４０ａ、４０ｂによって、相対的に低い周波数帯域ＦＢ０、ＦＢ１のフィルタ２６０、２６１を通過した映像信号Ｖ０、Ｖ１の重みを軽くした場合についても利用することができる。この場合、通常の入力映像信号中に比較的多く含まれている低い周波数帯域ＦＢ０、ＦＢ１の映像信号Ｖ０、Ｖ１が最大値として処理される割合を相対的に小さくでき、係数器４０ａ、４０ｂの係数を０又は０近傍の値とした場合には、映像信号Ｖ０、Ｖ１が最大値として処理されないようにすることができる。このため、視覚的強調効果が得られ易い高い周波数帯域の映像信号についての輪郭強調度を相対的に高くすることができる。
【００４４】
図５は本発明による映像信号処理回路の第３実施形態例を示すもので、図１と同一部分は同一符号とする。
図５において、１０は入力端子、１６は強調量制御器、１８は出力端子、２０は加算器、２６は帯域分割フィルタバンク、３２１、３２２、３２３、３２４は係数可変可能な係数器、３４は第２加算器、３６ｂはゲイン調整器、４２は遅延器、４４は積算値算出器である。
前記帯域分割フィルタバンク２６は、図１の場合と同様に、入力端子１０に入力した映像信号Ｖを４つの周波数帯域ＦＢ１、ＦＢ２、ＦＢ３、ＦＢ４の映像信号Ｖ１、Ｖ２、Ｖ３、Ｖ４に分割するフィルタ２６１、２６２、２６３、２６４で構成されている。
【００４５】
前記積算値算出器４４はカウンタ４６１、４６２、４６３、４６４及びラッチ回路４８１、４８２、４８３、４８４で構成されている。
前記カウンタ４６１、４６２、４６３、４６４はフレームパルスでリセットされ、前記ラッチ回路４８１、４８２、４８３、４８４はフレームパルスで更新される。
前記カウンタ４６１、４６２、４６３、４６４は、前記フィルタ２６１、２６２、２６３、２６４を通過した映像信号Ｖ１、Ｖ２、Ｖ３、Ｖ４の絶対値を１フレーム期間にわたって積算し、前記ラッチ回路４８１、４８２、４８３、４８４は、前記カウンタ４６１、４６２、４６３、４６４で算出した積算値を１フレーム期間保持する。
【００４６】
前記カウンタ４６１は、図６に示すように、絶対値回路５０、Ｄ−ＦＦ（Ｄ型フリップフロップ）５２、加算器５４及びクロックカウンタ５６で構成されている。
前記絶対値回路５０は前記フィルタ２６１を通過した映像信号Ｖ１の絶対値を演算し、前記Ｄ−ＦＦ５２は前記加算器５４の和信号Ｓを１ドット（例えば１画素）分遅延して出力し、前記加算器５４は前記絶対値回路５０の演算値と前記Ｄ−ＦＦ５２の出力値を入力信号Ａ、Ｂとして加算し、前記クロックカウンタ５６は、前記加算器５４の桁上げ信号ＣＯをイネーブル信号としてクロックＣＫを計数し、計数値を積算値として出力する。
例えば、加算器５４が８ビット加算器の場合には、加算器５４の和信号Ｓが２５６（１０進数表示）になる毎に桁上げ信号ＣＯがＨレベルとなってクロックカウンタ５６をイネーブル状態とし、クロックＣＫの計数値を＋１するので、１フレーム期間に加算器５４の和信号Ｓが２５６に達した回数が積算値として出力する。
前記カウンタ４６２、４６３、４６４は、前記カウンタ４６１と同様に構成されている。
【００４７】
前記ゲイン調整器３６ｂは、前記カウンタ４６１、４６２、４６３、４６４で算出され、前記ラッチ回路４８１、４８２、４８３、４８４でラッチされた積算値を比較し、そのうちの最大値を検出して前記係数器３２１、３２２、３２３、３２４のうちの対応した係数器（例えば３２４）の係数を１に制御し、残りの係数器（例えば３２１、３２２及び３２３）の係数を０に制御する。
【００４８】
つぎに図５の作用を図２及び図６を併用して説明する。
（１）帯域分割フィルタバンク２６のフィルタ２６１、２６２、２６３、２６４は、図１の場合と同様にして、入力端子１０に入力した映像信号Ｖから図２に示した４つの周波数帯域ＦＢ１、ＦＢ２、ＦＢ３、ＦＢ４の映像信号Ｖ１、Ｖ２、Ｖ３、Ｖ４を抽出する。
【００４９】
（２）積算値算出器４４のカウンタ４６１及びラッチ回路４８１はつぎのように作用する。
フィルタ２６１を通過した映像信号Ｖ１が絶対値回路５０に入力すると、その絶対値が絶対値回路５０で演算され加算器５４の入力信号Ａとなる。加算器５４の和信号ＳはＤ−ＦＦ５２で１ドット分遅延して加算器５４の入力信号Ｂとなるので、加算器５４で映像信号Ｖ１の絶対値が１フレーム期間にわたって積算され、この積算値に対応したクロックカウンタ５６の計数値がラッチ回路４８１で１フレーム期間ラッチされる。
例えば、加算器５４が８ビット加算器の場合には、１フレーム期間に加算器５４の和信号Ｓが２５６に達した回数が積算値として出力し、この積算値がラッチ回路４８１で１フレーム期間ラッチされる。
積算値算出器４４のカウンタ４６２、４６３、４６４及びラッチ回路４８２、４８３、４８４は、カウンタ４６１及びラッチ回路４８１と同様にして、映像信号Ｖ２、Ｖ３、Ｖ４の絶対値を１フレーム期間にわたって積算し、この積算値に対応したクロックカウンタ５６の計数値をラッチ回路４８２、４８３、４８４で１フレーム期間ラッチする。
【００５０】
（３）ゲイン調整器３６ｂは、積算値算出器４４で算出された積算値を比較し、そのうちの最大値（例えばＶ４についての積算値）を検出して対応した係数器（例えば３２４）の係数を１に制御し、残りの係数器（例えば３２１、３２２及び３２３）の係数を０に制御する。
【００５１】
（４）このため、フィルタ２６１、２６２、２６３、２６４で抽出された映像信号Ｖ１、Ｖ２、Ｖ３、Ｖ４のうち、積算値最大に対応した映像信号（例えばＶ４）のみが、輪郭補正信号として補正量制御器１６に入力する。
この補正量制御器１６で設定係数が掛けられて補正量の制御された信号は、遅延器４２でタイミングが一致するように調整された入力映像信号と加算器２０で加算され、輪郭補正された映像信号が出力端子１８から表示部側へ出力する。
【００５２】
（５）したがって、入力映像信号の１ドット毎に係数器３２１、３２２、３２３、３２４のうちの１つの係数器の係数が１となり、残りの係数器の係数が０となり、４つの周波数帯域ＦＢ１〜ＦＢ４のうちで入力映像信号Ｖに最も多く含まれる周波数帯域（例えばＦＢ４）の映像信号（例えばＶ４）のみが、輪郭補正信号として補正量制御器１６を介して加算器２０に入力し、入力映像信号に加算される。このため、入力映像信号の周波数帯域が変化しても、常に適切な輪郭強調のできる映像信号が得られる。
しかも、積算値算出器４４を設けてフレーム毎の処理をしているので、ドット毎に処理を行うもの（例えば図１の構成のもの）と比較して回路構成が簡単になる。すなわち、ドット毎に処理を行うための遅延器２４、３０１〜３０４が不要になり、後段に接続するゲイン調整器の回路構成を簡単にすることができる。
【００５３】
図５に示した実施形態例では、積算値算出器４４が、帯域分割フィルタバンク２６の４個のフィルタ２６１、２６２、２６３、２６４で抽出された映像信号Ｖ１、Ｖ２、Ｖ３、Ｖ４の重みを等しくしてそれぞれの積算値を算出し、ゲイン調整器３６ｂがこれらの積算値を比較し最大値を検出するようにしたが、本発明はこれに限るものでなく、相対的に低い周波数帯域の映像信号を通過するフィルタ（例えば２６１）の重みを軽くした場合についても利用できる。
例えば、図５に点線で示すような０以上１未満の係数を掛ける係数器４０ｃを設け、この係数器４０ｃによって、相対的に最も低い周波数帯域ＦＢ１の映像信号Ｖ１の重みを、より高い周波数帯域ＦＢ２〜ＦＢ４の映像信号Ｖ２、Ｖ３、Ｖ４の重みより軽くした場合についても利用することができる。この場合、通常の入力映像信号中に比較的多く含まれている低い周波数帯域ＦＢ１の映像信号Ｖ１が最大値として処理される割合を相対的に小さくでき、係数器４０ｃの係数を０又は０近傍の値とした場合には、映像信号Ｖ１が最大値として処理されないようにすることができる。このため、視覚的強調効果が得られ易い高い周波数帯域の映像信号についての輪郭強調度を相対的に高くすることができる。
【００５４】
図５に示した実施形態例では、積算値算出器４４が、帯域分割フィルタバンク２６抽出された映像信号Ｖ１、Ｖ２、Ｖ３、Ｖ４の絶対値を１フレーム期間にわたって積算するようにしたが、本発明はこれに限るものでなく、帯域分割フィルタバンク２６抽出された映像信号Ｖ１、Ｖ２、Ｖ３、Ｖ４の絶対値を複数フレーム期間にわたって積算するようにした場合についても利用することができる。
【００５５】
図５に示した実施形態例では、図１のゲイン調整器３６の前段に積算値算出器４４を挿入した構成と同等の構成としたが、本発明はこれに限るものでなく、図３のゲイン調整器３６ａの前段に積算値算出器４４を挿入した構成のもの（請求項１２、１３の発明の実施形態例に相当）についても利用することができる。
この場合も、フレーム毎に処理を行うので、図５に示した実施形態例と同様の理由により、ドット毎に処理を行うもの（例えば図１の構成のもの）と比較して回路構成を簡単にすることができる。
【００５６】
図１、図５に示した実施形態例では、本発明を一方向（例えば水平方向、垂直方向又は斜め方向）の輪郭補正に利用した場合ついて説明したが、本発明はこれに限るものでなく、水平方向と垂直方向のような２方向、水平方向と垂直方向と斜め方向のような３方向等のように複数方向の輪郭補正に利用した場合についても利用することができる。
【００５７】
図７は本発明を水平方向、垂直方向及び斜め方向の輪郭補正に利用した場合の一実施形態例（本発明による映像信号処理回路の第４実施形態例）を示すもので、図１と同一部分は同一符号とする。
図７において、１０は入力端子、１６は補正量制御器、１８は出力端子、２０は加算器、５８は遅延器、６０、６２、６４、６６は複数の帯域分割フィルタバンクの一例としての水平用、垂直用、斜め用、斜め用の帯域分割フィルタバンク、７０、７２、７４、７６は個別用最大値検出部の一例としての水平用、垂直用、斜め用、斜め用の最大値検出部、７８は全体用最大値検出部である。
【００５８】
前記水平用、垂直用、斜め用、斜め用の帯域分割フィルタバンク６０、６２、６４、６６は、前記入力端子１０に入力した映像信号Ｖを、図８に示す２次元周波数特性図の０°方向（水平方向）、９０°方向（垂直方向）、４５°方向（斜め方向）、１３５°方向（斜め方向）の周波数毎に、低周波数帯域を除いた４つの周波数帯域に分割するフィルタ６０１〜６０４、６２１〜６２４、６４１〜６４４、６６１〜６６４で構成されている。図８の２次元周波数特性図において、点線で示した枠８０は入力映像信号Ｖの分布領域を示す。
前記水平用帯域分割フィルタバンク６０の各フィルタ６０１、６０２、６０３、６０４は、図９に示すように、前記入力端子１０に入力した映像信号Ｖを、水平方向の周波数を低周波数帯域を除いた４つの周波数帯域ＦＢ１、ＦＢ２、ＦＢ３、ＦＢ４の映像信号Ｖ１、Ｖ２、Ｖ３、Ｖ４に分割する。
前記垂直用、斜め用、斜め用の帯域分割フィルタバンク６２、６４、６６の各フィルタ６２１〜６２４、６４１〜６４４、６６１〜６６４も同様に構成されている。
【００５９】
前記水平用、垂直用、斜め用、斜め用の最大値検出部７０、７２、７４、７６は、それぞれ図１の遅延器３０１〜３０４、係数器３２１〜３２４、第２加算器３４及びゲイン調整器３６からなる最大値検出部２８と同等の回路で構成され、前記水平用、垂直用、斜め用、斜め用の帯域分割フィルタバンク６０、６２、６４、６６のそれぞれで分割した複数の映像信号の絶対値のうちの最大値を検出する。
前記全体用最大値検出部７８は、前記水平用、垂直用、斜め用、斜め用の最大値検出部７０、７２、７４、７６で検出した最大値のうちの最大値を検出する。
【００６０】
つぎに図７の作用を図８〜図１０を併用して説明する。
（１）水平用帯域分割フィルタバンク６０のフィルタ６０１、６０２、６０３、６０４は、図９に示すように、入力端子１０に入力した映像信号Ｖから、水平方向（図８の０°方向）の周波数を低周波数帯域を除いた４つの周波数帯域ＦＢ１、ＦＢ２、ＦＢ３、ＦＢ４の映像信号Ｖ１、Ｖ２、Ｖ３、Ｖ４を抽出する。
垂直用、斜め用、斜め用の帯域分割フィルタバンク６２、６４、６６のフィルタ６２１〜６２４、６４１〜６４４、６６１〜６６４は、同様にして、入力端子１０に入力した映像信号Ｖから、垂直方向（９０°方向）、斜め方向（４５°方向）、斜め方向（１３５°方向）の周波数を低周波数帯域を除いた４つの周波数帯域の映像信号を抽出する。
【００６１】
（２）水平用最大値検出部７０は、水平用帯域分割フィルタバンク６０で抽出した４つの映像信号Ｖ１、Ｖ２、Ｖ３、Ｖ４の絶対値を比較し、そのうちの最大値を検出する。
垂直用、斜め用、斜め用の最大値検出部７２、７４、７６は、同様にして、垂直用、斜め用、斜め用の帯域分割フィルタバンク６２、６４、６６のそれぞれで抽出した４つの映像信号の絶対値を比較し、その最大値を検出する。
【００６２】
（３）全体用最大値検出部７８は、水平用、垂直用、斜め用、斜め用の最大値検出部７０、７２、７４、７６で検出した最大値を比較し、そのうちの最大値を検出する。
【００６３】
（４）このため、入力端子１０に入力し、水平用、垂直用、斜め用、斜め用の帯域分割フィルタバンク６０、６２、６４、６６の各フィルタ６０１〜６０４、６２１〜６２４、６４１〜６４４、６６１〜６６４で抽出された映像信号のうち、その絶対値最大に対応した映像信号のみが、輪郭補正信号として補正量制御器１６に入力する。
この補正量制御器１６で設定係数が掛けられて補正量の制御された信号は、遅延器５８でタイミング調整された入力映像信号と加算器２０で加算され、輪郭補正された映像信号として出力端子１８から表示部側へ出力する。
【００６４】
（５）したがって、入力映像信号Ｖの１ドット毎に、入力映像信号Ｖに含まれる水平方向（０°方向）、垂直方向（９０°方向）、斜め方向（４５°方向）、斜め方向（１３５°方向）の低周波数帯域を除いた４つの分割周波数帯域のうちで最も多く含まれる分割周波数帯域を通過した映像信号のみが、輪郭補正信号として補正量制御器１６を介して加算器２０に入力し、入力映像信号Ｖに加算される。このため、入力映像信号Ｖの周波数帯域が変化しても、水平、垂直及び斜め方向の輪郭強調を適切なものとすることができる。
【００６５】
例えば、図１０（ａ）に示すように、１３５°方向の斜め線を表示するドットＤ１１〜Ｄ５５が点灯し（ハッチング付きで示す。）、周辺のドットＤ１２、Ｄ２１、Ｄ２３、Ｄ３２、Ｄ３４、…が非点灯の場合においては、水平方向と垂直方向の輪郭が重複して強調されるのを防止することができる。
すなわち、点灯ドットＤ２２については、水平方向に隣接する非点灯ドットＤ２１、Ｄ２３との間で輪郭強調を行う輪郭補正信号と、垂直方向に隣接する非点灯ドットＤ１２、Ｄ３２との間で輪郭強調を行う輪郭補正信号との一方だけが入力映像信号Ｖに加算されるので、水平方向と垂直方向の輪郭が重複して強調されるのを防止することができる。
その他の点灯ドットＤ１１、Ｄ３３〜Ｄ５５についても、点灯ドットＤ２２と同様である。
【００６６】
また、図１０（ｂ）に示すように、０°方向の水平線と９０°方向の垂直線からなる直角線を表示するドットＤ２２〜Ｄ２４、Ｄ２２〜Ｄ５２が点灯し（ハッチング付きで示す。）、周辺のドットＤ１１〜Ｄ１４、Ｄ２１〜Ｄ５１、Ｄ３３〜Ｄ５３、Ｄ３４、…が非点灯の場合においては、輪郭強調の抜けで直角線の角部外側が輪郭強調無しとなるのを防止することができるとともに、直角線の角部内側が輪郭強調され過ぎるのを防止することができる。
すなわち、１３５°の斜め方向の輪郭強調を行うための帯域分割フィルタバンク６６及び最大値検出部７６がないと、非点灯ドットＤ１１については水平方向及び垂直方向に隣接する点灯ドットがないので、水平方向及び垂直方向の輪郭強調を行う輪郭補正信号が生成されず輪郭強調の抜けが生じる。しかし、図７の実施形態例では帯域分割フィルタバンク６６及び最大値検出部７６を具備しているので、１３５°の斜め方向に隣接する点灯ドットＤ２２との間で輪郭強調を行う輪郭補正信号が生成し、直角線の角部外側が輪郭強調無しとなるのを防止できる。
また、非点灯ドットＤ３３については、水平方向、垂直方向及び１３５°斜め方向に点灯ドットＤ３２、Ｄ２３、Ｄ２２が隣接しているので、対応する水平用、垂直用、斜め用の最大値検出部７０、７２、７６から輪郭強調のための映像信号の絶対値が出力するが、そのうち最大値が全体用最大値検出部７８で検出され、補正量制御器１６を介して輪郭補正信号として加算器で入力映像信号Ｖと加算されるので、水平方向、垂直方向、斜め方向の何れか一方向の輪郭成分のみが強調され、水平方向、垂直方向、斜め方向のうちの２方向又は３方向の輪郭成分が重複して強調されることがない。
【００６７】
図７に示した実施形態例では、水平用、垂直用、斜め用、斜め用の最大値検出部７０、７２、７４、７６のそれぞれを、図１の遅延器３０１〜３０４、係数器３２１〜３２４、第２加算器３４及びゲイン調整器３６からなる最大値検出部２８と同等の回路で構成した場合について説明したが、本発明はこれに限るものでなく、図５の積算値算出器４４、係数器３２１〜３２４、第２加算器３４及びゲイン調整器３６ｂからなる最大値検出部と同等の回路で構成した場合（請求項１０の発明の実施形態例に相当）についても利用することができる。
この場合も、フレーム毎に処理を行うので、図５に示した実施形態例と同様の理由により、ドット毎に処理を行うもの（例えば図１の構成のもの）と比較して回路構成を簡単にすることができる。
【００６８】
図７に示した実施形態例では、水平用、垂直用、斜め用、斜め用の最大値検出部７０、７２、７４、７６のそれぞれが、対応する帯域分割フィルタバンク６０、６２、６４、６６の各フィルタ６０１〜６０４、６２１〜６２４、６４１〜６４４、６６１〜６６４で分割された４つの映像信号の重みを等しくして比較し最大値を検出するようにしたが、本発明はこれに限るものでなく、相対的に低い周波数帯域の映像信号を通過するフィルタの重みを軽くした場合についても利用できる。
この場合、視覚的強調効果が得られにくい低い周波数帯域（例えばＦＢ１）については重みを軽くし、視覚的強調効果が得られ易い高い周波数帯域（例えばＦＢ４）については重みを重くし、相対的に高い周波数帯域に属する映像信号についての輪郭強調度を高めることができる。
【００６９】
図１、図５、図７に示した実施形態例では、帯域分割フィルタバンクが、入力映像信号Ｖを、低周波数帯域を除いた４つの周波数帯域に分割した場合について説明したが、本発明はこれに限るものでなく、入力映像信号Ｖを、低周波数帯域を除いた４つ以外の複数の周波数帯域に分割した場合、又は低周波数帯域を含んだ複数の周波数帯域に分割した場合についても利用することができる。
【００７０】
図３に示した実施形態例では、帯域分割フィルタバンクが、入力映像信号Ｖを５つの周波数帯域に分割した場合について説明したが、本発明はこれに限るものでなく、入力映像信号Ｖを５つ以外の複数の周波数帯域に分割した場合についても利用することができる。
【００７１】
【発明の効果】
請求項１の発明による映像信号処理回路は、帯域分割フィルタバンク、最大値検出部及び加算器を具備し、帯域分割フィルタバンクで分割された複数の映像信号のうちの最大値を最大値検出部で検出し、この検出された映像信号を輪郭補正信号として加算器で入力映像信号に加算して出力映像信号とするように構成したので、入力映像信号の周波数帯域が変化しても、常に入力映像信号に最も多く含まれる周波数帯域の映像信号が輪郭補正信号となる。このため、入力映像信号の周波数帯域が変化しても、常に適切な輪郭強調のできる映像信号を得ることができる。
【００７２】
請求項２の発明は、請求項１の発明において、最大値検出部を複数の係数器、ゲイン調整器及び第２加算器で構成したので、最大値検出部の構成を簡単にすることができる。
【００７３】
請求項３の発明は、請求項１の発明において、帯域分割フィルタバンクを、入力映像信号を複数方向の周波数毎に複数の周波数帯域に分割する複数の帯域分割フィルタバンクで構成し、最大値検出部を、複数の帯域分割フィルタバンクのそれぞれで分割した複数の映像信号のうちの最大値を検出する個別用最大値検出部と、複数の個別用最大値検出部で検出された最大値のうちの最大値を検出して加算器への出力とする全体用最大値検出部とで構成したので、複数方向の輪郭強調を適切なものとすることができる。
【００７４】
請求項４の発明は、請求項３の発明において、複数の帯域分割フィルタバンクを水平用、垂直用、斜め用の帯域分割フィルタバンクとし、複数の個別用最大値検出部を水平用、垂直用、斜め用の最大値検出部としたので、水平、垂直及び斜め方向の輪郭強調を適切なものとすることができる。
例えば、輪郭強調の重複で斜め線の輪郭や直角線の角部内側が輪郭強調され過ぎるのを防止するとともに、輪郭強調の抜けで直角線の角部外側が輪郭強調無しとなるのを防止することができる。
【００７５】
請求項５（又は６）の発明は、請求項３（又は４）の発明において、複数の個別用（又は水平用、垂直用、斜め用）の最大値検出部のそれぞれを、対応した帯域分割フィルタバンクで分割された複数の映像信号のそれぞれに係数を掛けて出力する係数器と、対応した帯域分割フィルタバンクで分割された複数の映像信号の絶対値を比較して最大値を検出し、複数の係数器のうちの対応した係数器の係数を１に制御し残りの係数器の係数を０に制御するゲイン調整器と、複数の係数器の出力を加算して出力する第２加算器とで構成した場合には、複数の個別用（又は水平用、垂直用、斜め用）の最大値検出部の構成を簡単にすることができる。
【００７６】
請求項７の発明による映像信号処理回路は、帯域分割フィルタバンク、複数の係数器、ゲイン調整器及び加算器を具備し、ゲイン調整器によって、帯域分割フィルタバンクで分割された複数の映像信号のうちの最大値を検出し、複数の係数器のうちの対応した係数器の係数（１＋α）のαを１に制御し、残りの係数器の係数（１＋α）のαを０に制御するように構成したので、入力映像信号の周波数帯域が変化しても、常に入力映像信号に最も多く含まれる周波数帯域の映像信号が輪郭補正信号となる。このため、入力映像信号の周波数帯域が変化しても、常に適切な輪郭補正のできる映像信号を得ることができる。
【００７７】
請求項８の発明による映像信号処理回路は、帯域分割フィルタバンク、ｎ個の係数器、ゲイン調整器及び加算器を具備し、ゲイン調整器によって、帯域分割フィルタバンクで分割されたｎ個の映像信号を比較して１番目からｍ番目までの大きな値を検出し、ｎ個の係数器のうちの１番目の大きな値に対応した係数器の係数（１＋β）のβを１に制御し、２番目からｍ番目までの大きな値に対応した係数器の係数（１＋β）のβを０以上１未満の値に制御し、残りの係数器の係数（１＋β）のβを０に制御するように構成したので、入力映像信号の周波数帯域が変化しても、常に入力映像信号により多く含まれる周波数帯域の映像信号が輪郭補正信号となる。このため、入力映像信号の周波数帯域が変化しても、常に適切な輪郭補正のできる映像信号を得ることができる。
【００７８】
請求項９の発明による映像信号処理回路は、帯域分割フィルタバンク、複数の係数器、積算値算出器、ゲイン調整器及び加算器を具備し、ゲイン調整器によって、積算値算出器で算出された積算値の最大値を検出し、複数の係数器のうちの対応した係数器の係数を１に制御し、残りの係数器の係数を０に制御するように構成したので、入力映像信号の周波数帯域が変化しても、常に入力映像信号に最も多く含まれる周波数帯域の映像信号が輪郭補正信号となる。このため、入力映像信号の周波数帯域が変化しても、常に適切な輪郭補正のできる映像信号を得ることができる。
しかも、積算値算出器を設けてフレーム毎の処理をしているので、ドット毎に処理を行うもの（例えば図１の構成のもの）と比較して回路構成を簡単にすることができる。
【００７９】
請求項１０の発明は、請求項９の発明において、帯域分割フィルタバンクを複数の帯域分割フィルタバンクで構成し、複数の係数器を複数組の係数器群で構成し、積算値算出器を複数の積算値算出器で構成し、ゲイン調整器を複数のゲイン調整器で構成し、第２加算器を複数の第２加算器で構成したので、複数方向の輪郭強調を適切なものとすることができる。
【００８０】
請求項１１の発明は、請求項１０の発明において、複数の帯域分割フィルタバンクを水平用、垂直用、斜め用の帯域分割フィルタバンクで構成し、複数組の係数器群を水平用、垂直用、斜め用の係数器群で構成し、複数の積算値算出器を水平用、垂直用、斜め用の積算値算出器で構成し、複数のゲイン調整器を水平用、垂直用、斜め用のゲイン調整器で構成し、複数の第２加算器を水平用、垂直用、斜め用の第２加算器で構成したので、水平、垂直及び斜め方向の輪郭強調を適切なものとすることができる。
例えば、斜め線が輪郭強調され過ぎるのを防止することができるとともに、直角線の角部外側が輪郭強調無しとなるのを防止することができる。
【００８１】
請求項１２の発明による映像信号処理回路は、帯域分割フィルタバンク、複数の係数器、積算値算出器、ゲイン調整器及び加算器を具備し、ゲイン調整器によって、積算値算出器で算出された積算値を比較して最大値を検出し、複数の係数器のうちの対応した係数器の係数を２に制御し、残りの係数器の係数を１に制御するように構成したので、入力映像信号の周波数帯域が変化しても、常に入力映像信号に最も多く含まれる周波数帯域の映像信号が輪郭補正信号となる。このため、入力映像信号の周波数帯域が変化しても、常に適切な輪郭補正のできる映像信号を得ることができる。
しかも、積算値算出器を設けてフレーム毎の処理をしているので、ドット毎に処理を行うもの（例えば図１の構成のもの）と比較して回路構成を簡単にすることができる。
【００８２】
請求項１３の発明による映像信号処理回路は、帯域分割フィルタバンク、ｎ個の係数器、積算値算出器、ゲイン調整器、及び加算器を具備し、ゲイン調整器によって、積算値算出器で算出された積算値を比較して大きい順に１番目からｍ番目までを検出し、ｎ個の係数器のうちの１番目の大きな値に対応した係数器の係数を２に制御し、２番目からｍ番目までの大きな値に対応した係数器の係数を１以上２未満の値に制御し、残りの係数器の係数を１に制御するように構成したので、入力映像信号の周波数帯域が変化しても、常に入力映像信号により多く含まれる周波数帯域の映像信号が輪郭補正信号となる。このため、入力映像信号の周波数帯域が変化しても、常に適切な輪郭補正のできる映像信号を得ることができる。
しかも、積算値算出器を設けてフレーム毎の処理をしているので、ドット毎に処理を行うもの（例えば図１の構成のもの）と比較して回路構成を簡単にすることができる。
【００８３】
請求項１４（又は１５）の発明は、請求項２、５、６、７又は８の発明において、ゲイン調整器の前段に、帯域分割フィルタバンクで分割された複数の映像信号のうちの、相対的に最も低い周波数帯域で分割された映像信号（又は相対的に低い周波数帯域で分割された複数の映像信号のそれぞれ）に０以上１未満に設定された係数を掛けて出力する係数器を設けたので、入力映像信号のうちの相対的に高い周波数帯域に属する映像信号についての輪郭強調効果を高くすることができる。
【００８４】
請求項１６（又は１７）の発明は、請求項９、１０、１１、１２又は１３の発明において、積算値算出器の前段に、帯域分割フィルタバンクで分割された複数の映像信号のうちの、相対的に最も低い周波数帯域で分割された映像信号（又は相対的に低い周波数帯域で分割された複数の映像信号のそれぞれ）に０以上１未満に設定された係数を掛けて出力する係数器を設けたので、入力映像信号のうちの相対的に高い周波数帯域に属する映像信号についての輪郭強調効果を高くすることができる。
【図面の簡単な説明】
【図１】本発明による映像信号処理回路の第１実施形態例を示すブロック図である。
【図２】図１中の帯域分割フィルタバンク２６の特性を示すもので、構成要素の各フィルタ２６１、２６２、２６３、２６４の振幅特性図である。
【図３】本発明による映像信号処理回路の第２実施形態例を示すブロック図である。
【図４】図３中の帯域分割フィルタバンク２６ａの特性を示すもので、構成要素の各フィルタ２６０、２６１、２６２、２６３、２６４の振幅特性図である。
【図５】本発明による映像信号処理回路の第３実施形態例を示すブロック図である。
【図６】図５中のカウンタ４６１、４６２、４６３、４６４の具体例を示すブロック図である。
【図７】本発明による映像信号処理回路の第４実施形態例を示すブロック図である。
【図８】図７中の水平用、垂直用、斜め用、斜め用の帯域分割フィルタバンク６０、６２、６４、６６による水平方向（０°方向）、垂直方向（９０°方向）、斜め方向（４５°方向）、斜め方向（１３５°方向）の周波数の関係を示す２次元周波数特性図である。
【図９】図７中の水平用帯域分割フィルタバンク６０の特性を示すもので、構成要素の各フィルタ６０１、６０２、６０３、６０４の振幅特性図である。
【図１０】図７の作用を説明するもので、（ａ）は斜め線の輪郭強調を説明するドットを示す図、（ｂ）は直角線の輪郭強調を説明するドットを示す図である。
【図１１】従来例を示すブロック図である。
【図１２】図１１中のフィルタ１４の振幅特性図である。
【符号の説明】
１０…入力端子、  １２、２２、２４、３０１〜３０４、４２、５８…遅延器、  １６…補正量制御器、  １８…出力端子、  ２０、２０ａ…加算器、  ２６、２６ａ…帯域分割フィルタバンク、  ２６１〜２６４、２６０〜２６４…帯域分割フィルタバンク２６、２６ａを構成するフィルタ、  ２８…最大値検出部、３２１〜３２４、３８０〜３８４…係数可変可能な係数器、  ３４…第２加算器、  ３６、３６ａ、３６ｂ…ゲイン調整器、  ４０、４０ａ、４０ｂ、４０ｃ…係数器、  ４４…積算値算出器、  ４６１〜４６４…カウンタ、  ４８１〜４８４…ラッチ回路、  ５０…絶対値回路、  ５２…Ｄ−ＦＦ、  ５４…加算器、５６…クロックカウンタ、  ６０…水平用帯域分割フィルタバンク、  ６２…垂直用帯域分割フィルタバンク、  ６４、６６…斜め用帯域分割フィルタバンク、  ６０１〜６０４、６２１〜６２４、６４１〜６４４、６６１〜６６４…帯域分割フィルタバンク６０、６２、６４、６６を構成するフィルタ、  ７０…水平用最大値検出部（個別用最大値検出部の一例）、  ７２…垂直用最大値検出部（個別用最大値検出部の一例）、  ７４、７６…斜め用最大値検出部（個別用最大値検出部の一例）、  ７８…全体用最大値検出部、  ８０…入力映像信号Ｖの分布領域を示す枠、  Ｄ１１〜Ｄ１４、Ｄ２１〜Ｄ２４、Ｄ３１〜Ｄ３４、Ｄ５１〜Ｄ５５…ドット（画素）、  ＦＢ０〜ＦＢ４…分割された周波数帯域、  Ｖ…入力映像信号、  Ｖ０〜Ｖ４…周波数帯域ＦＢ０〜ＦＢ４で分割された映像信号。
【図１】
0004023055.tif 000002
【図２】
0004023055.tif 000003
【図３】
0004023055.tif 000004
【図４】
0004023055.tif 000005
【図５】
0004023055.tif 000006
【図６】
0004023055.tif 000007
【図７】
0004023055.tif 000008
【図８】
0004023055.tif 000009
【図９】
0004023055.tif 000010
【図１０】
0004023055.tif 000011
【図１１】
0004023055.tif 000012
【図１２】
0004023055.tif 000013